(57)【特許請求の範囲】
【請求項１】
複数の駆動電圧のうちの少なくとも１つの駆動電圧により駆動する複数の電子部品を有する所定の装置に設けられた電源制御回路であって、
前記所定の装置の外部から供給される複数の電源電圧を用い、前記複数の駆動電圧を生成するように構成された駆動電圧生成回路と、
前記複数の電源電圧の供給が所定の順番で停止された際に、前記駆動電圧生成回路による前記複数の駆動電圧の生成を予め設定された優先順位に従って停止させるためのシーケンス制御を行うように構成されたシーケンサと、
前記複数の電源電圧の供給状態を監視することにより、前記複数の電源電圧のうちの１つの電源電圧の供給が前記所定の順番とは異なる順番で停止した一方で前記１つの電源電圧を除く他の電源電圧の供給が続けられている状態が発生した際に、前記シーケンス制御において前記１つの電源電圧を用いた駆動電圧の生成を停止する優先順位よりも高い優先順位に設定された各駆動電圧の生成を同時に停止させるための動作を行うように構成された電源監視回路と、
を有することを特徴とする電源制御回路。
【請求項２】
前記電源監視回路は、前記複数の電源電圧のうち、前記シーケンス制御において最も低い優先順位に設定された駆動電圧の生成に用いられる電源電圧で駆動するように構成されている
ことを特徴とする請求項１に記載の電源制御回路。
【請求項３】
前記複数の電源電圧及び前記複数の駆動電圧の供給経路上における時定数の大きさの順番が、前記シーケンス制御において前記複数の駆動電圧の生成が停止される優先順位とは逆の順番に設定されている
ことを特徴とする請求項１に記載の電源制御回路。
【請求項４】
前記シーケンサは、前記予め設定された優先順位における優先順位の低いものから高いものへ順番に前記複数の駆動電圧を生成させるための制御を前記駆動電圧生成回路に対して行うとともに、前記予め設定された優先順位における優先順位の高いものから低いものへ順番に前記複数の駆動電圧の生成を停止させるための制御を前記駆動電圧生成回路に対して行う
ことを特徴とする請求項１に記載の電源制御回路。
【発明の詳細な説明】
【技術分野】
【０００１】
本発明は、電源制御回路に関し、特に、複数の電源電圧の供給状態に応じた制御を行う電源制御回路に関するものである。
【背景技術】
【０００２】
複数の電源電圧の供給状態に応じたシーケンス制御を行うための技術が従来知られている。【０００３】
具体的には、例えば、日本国特開平０５−２０４４９６号公報には、複数の電源ユニットの電源を切断する際に、当該複数の電源ユニットのうちの出力電位の高いものから低いものへ順番に電源を切断するように予め定められた切断シーケンスに従って電源を切断する電源制御システムが開示されている。また、日本国特開平０５−２０４４９６号公報には、低電圧または過電圧の電源異常が発生した際に、当該電源異常の発生源の電源ユニットよりも低い出力電位の電源ユニットの電源を前述の切断シーケンスに従って切断するための構成が開示されている。【０００４】
ここで、日本国特開平０５−２０４４９６号公報に開示された構成によれば、例えば、最も出力電位の高い電源ユニットで電源異常が発生した際に、最も出力電位の低い電源ユニットの電源が切断されるまでに時間を要してしまう場合がある、という問題点が生じている。従って、日本国特開平０５−２０４４９６号公報に開示された構成によれば、複数の電源電圧の供給状態に異常が生じた場合に、相対的に低い電源電圧の供給先の電子部品に不具合が生じる可能性が高くなってしまう、という前述の問題点に応じた課題が生じている。【０００５】
本発明は、前述した事情に鑑みてなされたものであり、複数の電源電圧の供給状態の異常に応じて電子部品に不具合が生じる可能性を極力低減することが可能な電源制御回路を提供することを目的としている。
【発明の開示】
【課題を解決するための手段】
【０００６】
本発明の一態様の電源制御回路は、複数の駆動電圧のうちの少なくとも１つの駆動電圧により駆動する複数の電子部品を有する所定の装置に設けられた電源制御回路であって、前記所定の装置の外部から供給される複数の電源電圧を用い、前記複数の駆動電圧を生成するように構成された駆動電圧生成回路と、前記複数の電源電圧の供給が所定の順番で停止された際に、前記駆動電圧生成回路による前記複数の駆動電圧の生成を予め設定された優先順位に従って停止させるためのシーケンス制御を行うように構成されたシーケンサと、前記複数の電源電圧の供給状態を監視することにより、前記複数の電源電圧のうちの１つの電源電圧の供給が前記所定の順番とは異なる順番で停止した一方で前記１つの電源電圧を除く他の電源電圧の供給が続けられている状態が発生した際に、前記シーケンス制御において前記１つの電源電圧を用いた駆動電圧の生成を停止する優先順位よりも高い優先順位に設定された各駆動電圧の生成を同時に停止させるための動作を行うように構成された電源監視回路と、を有する。
【図面の簡単な説明】
【０００７】
【図１】実施例に係る電源制御回路を含む内視鏡システムの構成の一例を示す図。
【図２】実施例に係る電源制御回路の具体的な構成の一例を示す図。
【図３】実施例に係る電源制御回路において、電源電圧の供給状態が本来意図しない状態になった場合に行われる動作の一例を説明するためのタイミングチャート。
【図４】実施例に係る電源制御回路において、電源電圧の供給状態が本来意図しない状態になった場合に行われる動作の一例を説明するためのタイミングチャート。
【図５】実施例に係る電源制御回路において、電源電圧の供給状態が本来意図しない状態になった場合に行われる動作の一例を説明するためのタイミングチャート。
【発明を実施するための最良の形態】
【０００８】
以下、本発明の実施の形態について、図面を参照しつつ説明を行う。【０００９】
図１から図５は、本発明の実施例に係るものである。【００１０】
内視鏡システム１は、図１に示すように、被検体の体腔内に存在する生体組織等の被写体を撮像して撮像信号を出力することができるように構成された内視鏡２と、当該被写体を照明するための照明光を内視鏡２へ供給することができるように構成された光源装置３と、内視鏡２から出力される撮像信号に応じた観察画像を生成して出力することができるように構成されたビデオプロセッサ４と、ビデオプロセッサ４から出力される観察画像等を表示することができるように構成された表示装置５と、を有している。【００１１】
内視鏡２は、ビデオプロセッサ４の制御に応じた撮像動作等を行うことができるように構成されている。また、内視鏡２には、ビデオプロセッサ４から供給される複数の電源電圧を用い、ＣＣＤ等の複数の電子部品を駆動させるための複数の駆動電圧を生成するとともに、当該複数の電源電圧の供給状態を監視しつつ制御するように構成された電源制御回路２１が設けられている。すなわち、内視鏡２には、電源制御回路２１により生成される複数の駆動電圧のうちの少なくとも１つの駆動電圧により駆動するＣＣＤ等の複数の電子部品が設けられている。なお、電源制御回路２１の具体的な構成については、後程説明する。【００１２】
光源装置３は、ビデオプロセッサ４の制御に応じ、内視鏡２への照明光の供給を実施または停止するとともに、当該照明光の光量を変化させることができるように構成されている。【００１３】
ビデオプロセッサ４は、内視鏡２及び光源装置３のそれぞれに対して制御を行うことができるように構成されている。【００１４】
ビデオプロセッサ４は、例えば、商用電源等から供給される所定の電源電圧を用い、相互に異なる複数の電源電圧ＶＰＡ、ＶＰＢ及びＶＰＣを生成し、当該生成した電源電圧ＶＰＡ、ＶＰＢ及びＶＰＣを内視鏡２に供給することができるように構成されている。【００１５】
ここで、電源制御回路２１の具体的な構成について、図２を適宜参照しつつ説明する。【００１６】
電源制御回路２１は、ビデオプロセッサ４から供給される電源電圧ＶＰＡ、ＶＰＢ及びＶＰＣを用い、相互に異なる複数の駆動電圧ＶＰＸ、ＶＰＹ及びＶＰＺを生成するように構成されている。具体的には、電源制御回路２１は、ビデオプロセッサ４から供給される電源電圧ＶＰＡを用いて駆動電圧ＶＰＸを生成し、ビデオプロセッサ４から供給される電源電圧ＶＰＢを用いて駆動電圧ＶＰＹを生成し、ビデオプロセッサ４から供給される電源電圧ＶＰＣを用いて駆動電圧ＶＰＺを生成するように構成されている。【００１７】
電源制御回路２１は、電源電圧ＶＰＡ、ＶＰＢ及びＶＰＣの供給がＶＰＡ→ＶＰＢ→ＶＰＣの順番で開始された際に、すなわち、電源電圧ＶＰＡ、ＶＰＢ及びＶＰＣの供給が正常に開始された際に、後述のシーケンサ３１の動作により、駆動電圧ＶＰＸ→ＶＰＹ→ＶＰＺの順に予め設定された優先順位に従って各駆動電圧の生成を開始するように構成されている。また、電源制御回路２１は、電源電圧ＶＰＡ、ＶＰＢ及びＶＰＣの供給がＶＰＣ→ＶＰＢ→ＶＰＡの順番で停止された際に、すなわち、電源電圧ＶＰＡ、ＶＰＢ及びＶＰＣの供給が正常に停止された際に、後述のシーケンサ３１の動作により電源電圧ＶＰＣの供給の停止が検出され、駆動電圧ＶＰＺ→ＶＰＹ→ＶＰＸの順に予め設定された優先順位に従って各駆動電圧の生成を停止するように構成されている。【００１８】
電源制御回路２１は、例えば、図２に示すように、シーケンサ３１と、電源監視回路３２と、ＡＮＤ回路３３及び３４と、駆動電圧生成回路３５と、を有して構成されている。【００１９】
図２は、実施例に係る電源制御回路の具体的な構成の一例を示す図である。【００２０】
シーケンサ３１は、電源電圧ＶＰＡ、ＶＰＢ及びＶＰＣのいずれとも異なる電源電圧ＶＰＤで駆動するように構成されている。【００２１】
なお、前述の電源電圧ＶＰＤは、例えば、内視鏡２に内蔵された二次電池等のような、電源電圧ＶＰＡ、ＶＰＢ及びＶＰＣの供給経路外の電源から供給される一定の電圧レベルの電圧である。または、前述の電源電圧ＶＰＤは、例えば、電源電圧ＶＰＡを安定化回路等で安定化して得られる電圧であり、電源電圧ＶＰＡの供給が停止された場合であってもシーケンサ３１の駆動に支障をきたさない程度の電圧レベルを一定時間維持することが可能な電圧である。そのため、以降においては、電源電圧ＶＰＡ、ＶＰＢ及びＶＰＣの供給状態の変化に係わらず、シーケンサ３１が常時駆動している場合を例に挙げて説明を行う。【００２２】
シーケンサ３１は、電源電圧ＶＰＡ、ＶＰＢ及びＶＰＣの供給状態に応じた出力信号として、出力信号ＳＱ１をレギュレータ３５Ａへ出力し、出力信号ＳＱ２をＡＮＤ回路３３へ出力し、出力信号ＳＱ３をＡＮＤ回路３４へ出力するように構成されている。【００２３】
具体的には、シーケンサ３１は、電源電圧ＶＰＡ、ＶＰＢ及びＶＰＣの３つの電源電圧が供給されていない期間において、Ｌｏｗレベル（以降、Ｌレベルとも称する）の出力信号ＳＱ１、ＳＱ２及びＳＱ３をそれぞれ出力するように構成されている。【００２４】
また、シーケンサ３１は、電源電圧ＶＰＡ、ＶＰＢ及びＶＰＣの３つの電源電圧の供給が開始されたことを検出した際に、各出力信号の信号レベルをＳＱ１→ＳＱ２→ＳＱ３の順にＬｏｗレベルからＨｉｇｈレベル（以降、Ｈレベルとも称する）へ遷移させるための動作を行うように構成されている。すなわち、シーケンサ３１は、電源電圧ＶＰＡ、ＶＰＢ及びＶＰＣの供給が全て開始された際に、駆動電圧生成回路３５による各駆動電圧の生成を駆動電圧ＶＰＸ→ＶＰＹ→ＶＰＺの順に予め設定された優先順位に従って開始させるためのシーケンス制御を行うように構成されている。【００２５】
また、シーケンサ３１は、電源電圧ＶＰＡ、ＶＰＢ及びＶＰＣの３つの電源電圧が供給されている期間において、Ｈｉｇｈレベルの出力信号ＳＱ１、ＳＱ２及びＳＱ３をそれぞれ出力するように構成されている。【００２６】
また、シーケンサ３１は、電源電圧ＶＰＡ、ＶＰＢ及びＶＰＣのうちのいずれか１つの電源電圧の供給が停止されたことを検出した際に、各出力信号の信号レベルをＳＱ３→ＳＱ２→ＳＱ１の順にＨｉｇｈレベルからＬｏｗレベルへ遷移させるための動作を行うように構成されている。すなわち、シーケンサ３１は、電源電圧ＶＰＡ、ＶＰＢ及びＶＰＣのうちのいずれか１つの電源電圧の供給が停止された際に、駆動電圧生成回路３５による各駆動電圧の生成を駆動電圧ＶＰＺ→ＶＰＹ→ＶＰＸの順に予め設定された優先順位に従って停止させるためのシーケンス制御を行うように構成されている。【００２７】
電源監視回路３２は、例えば、ＡＮＤ回路等を具備し、ビデオプロセッサ４から供給される電源電圧ＶＰＡで駆動するように構成されている。すなわち、電源監視回路３２は、電源電圧ＶＰＡ、ＶＰＢ及びＶＰＣのうちのいずれか１つの電源電圧の供給が停止された際にシーケンサ３１により行われるシーケンス制御において最も低い優先順位に設定された駆動電圧ＶＰＸの生成に用いられる、電源電圧ＶＰＡで駆動するように構成されている。【００２８】
電源監視回路３２は、電源電圧ＶＰＡ、ＶＰＢ及びＶＰＣの３つの電源電圧の供給状態を監視することにより、当該３つの電源電圧の供給状態がいずれも正常である場合に、Ｈｉｇｈレベルの出力信号ＡＮ１を出力するように構成されている。また、電源監視回路３２は、電源電圧ＶＰＡ、ＶＰＢ及びＶＰＣの３つの電源電圧の供給状態を監視することにより、当該３つの電源電圧のうちの少なくとも１つの供給状態に異常が発生した場合に、Ｌｏｗレベルの出力信号ＡＮ１を出力するように構成されている。【００２９】
ＡＮＤ回路３３は、ビデオプロセッサ４から供給される電源電圧ＶＰＡで駆動するように構成されている。【００３０】
ＡＮＤ回路３３は、出力信号ＳＱ２及びＡＮ１のうちの少なくとも一方の信号レベルがＬｏｗレベルである場合に、Ｌｏｗレベルの出力信号ＡＮ２をレギュレータ３５Ｂへ出力するように構成されている。【００３１】
ＡＮＤ回路３３は、出力信号ＳＱ２及びＡＮ１の両方の信号レベルがＨｉｇｈレベルである場合に、Ｈｉｇｈレベルの出力信号ＡＮ２をレギュレータ３５Ｂへ出力するように構成されている。【００３２】
ＡＮＤ回路３４は、出力信号ＳＱ３及びＡＮ１のうちの少なくとも一方の信号レベルがＬｏｗレベルである場合に、Ｌｏｗレベルの出力信号ＡＮ３をレギュレータ３５Ｃへ出力するように構成されている。【００３３】
ＡＮＤ回路３４は、出力信号ＳＱ３及びＡＮ１の両方の信号レベルがＨｉｇｈレベルである場合に、Ｈｉｇｈレベルの出力信号ＡＮ３をレギュレータ３５Ｃへ出力するように構成されている。【００３４】
駆動電圧生成回路３５は、出力信号ＳＱ１、ＡＮ２及びＡＮ３の信号レベルに応じ、ビデオプロセッサ４から供給される複数の電源電圧ＶＰＡ、ＶＰＢ及びＶＰＣを用いて複数の駆動電圧ＶＰＸ、ＶＰＹ及びＶＰＺを生成するための動作を行うように構成されている。また、駆動電圧生成回路３５は、出力信号ＳＱ１の信号レベルに応じた動作を行うレギュレータ３５Ａと、出力信号ＡＮ２の信号レベルに応じた動作を行うレギュレータ３５Ｂと、出力信号ＡＮ３の信号レベルに応じた動作を行うレギュレータ３５Ｃと、を有して構成されている。【００３５】
レギュレータ３５Ａは、Ｈｉｇｈレベルの出力信号ＳＱ１が入力されている期間において、電源電圧ＶＰＡを用いて駆動電圧ＶＰＸを生成するための動作を行うように構成されている。【００３６】
レギュレータ３５Ａは、Ｌｏｗレベルの出力信号ＳＱ１が入力されている期間において、電源電圧ＶＰＡを用いて駆動電圧ＶＰＸを生成するための動作を停止するように構成されている。【００３７】
レギュレータ３５Ｂは、Ｈｉｇｈレベルの出力信号ＡＮ２が入力されている期間において、電源電圧ＶＰＢを用いて駆動電圧ＶＰＹを生成するための動作を行うように構成されている。【００３８】
レギュレータ３５Ｂは、Ｌｏｗレベルの出力信号ＡＮ２が入力されている期間において、電源電圧ＶＰＢを用いて駆動電圧ＶＰＹを生成するための動作を停止するように構成されている。【００３９】
レギュレータ３５Ｃは、Ｈｉｇｈレベルの出力信号ＡＮ３が入力されている期間において、電源電圧ＶＰＣを用いて駆動電圧ＶＰＺを生成するための動作を行うように構成されている。【００４０】
レギュレータ３５Ｃは、Ｌｏｗレベルの出力信号ＡＮ３が入力されている期間において、電源電圧ＶＰＣを用いて駆動電圧ＶＰＺを生成するための動作を停止するように構成されている。【００４１】
なお、本実施例によれば、例えば、レギュレータ３５Ａ〜３５Ｃがスイッチング電源回路等の他の電子回路等により構成されていてもよい。【００４２】
続いて、本実施例に係る電源制御回路２１の具体的な動作について、内視鏡２とビデオプロセッサ４とを電気的に接続するための電気コネクタ部（不図示）の活線挿抜等に起因し、ビデオプロセッサ４から内視鏡２への電源電圧の供給状態が本来意図しない状態になった場合を例に挙げつつ説明する。【００４３】
まず、電源電圧ＶＰＡ、ＶＰＢ及びＶＰＣのうちの電源電圧ＶＰＡのみが内視鏡２へ供給されなくなった場合における電源制御回路２１の動作の詳細について、図３を適宜参照しつつ説明する。図３は、実施例に係る電源制御回路において、電源電圧の供給状態が本来意図しない状態になった場合に行われる動作の一例を説明するためのタイミングチャートである。【００４４】
シーケンサ３１は、例えば、図３に示すように、電源電圧ＶＰＡの供給状態がＬレベルに遷移し終わったタイミングに相当する時刻ｔｂにおいて、出力信号ＳＱ３をＨレベルからＬレベルへ遷移させるための動作を開始するとともに、時刻ｔｂより後のタイミングに相当する時刻ｔｄにおいて、出力信号ＳＱ３をＨレベルからＬレベルへ遷移させるための動作を完了する。【００４５】
レギュレータ３５Ａは、電源電圧ＶＰＡの供給状態がＨレベルからＬレベルへ遷移し終わった後において、駆動電圧ＶＰＸの電圧レベルをＨレベルに維持できなくなる。そのため、駆動電圧ＶＰＸは、例えば、図３に示すように、時刻ｔｂにおいてＨレベルからＬレベルへ遷移し始めるとともに、時刻ｔｄにおいてＬレベルに遷移し終わる。【００４６】
一方、電源監視回路３２は、電源電圧ＶＰＡ、ＶＰＢ及びＶＰＣの供給状態を監視することにより、電源電圧ＶＰＡの供給が停止した一方で電源電圧ＶＰＢ及びＶＰＣの供給が続けられている状態が発生した際に、シーケンサ３１のシーケンス制御において電源電圧ＶＰＡを用いた駆動電圧ＶＰＸの生成を停止する優先順位よりも高い優先順位に設定された駆動電圧ＶＰＹ及びＶＰＺの生成を同時に停止させるための動作を行う。【００４７】
ここで、電源監視回路３２は、電源電圧ＶＰＡの供給状態がＨレベルからＬレベルへ遷移してゆくに伴い、Ｈレベルの電源電圧ＶＰＢ及びＶＰＣの入力に係わらず、出力信号ＡＮ１の信号レベルをＨレベルに維持できなくなる。そのため、出力信号ＡＮ１は、例えば、図３に示すように、電源電圧ＶＰＡの供給状態がＨレベルからＬレベルへ遷移している最中の時刻ｔｂより前のタイミングに相当する時刻ｔａにおいてＨレベルからＬレベルへ遷移し始めるとともに、時刻ｔｂより後であるとともに時刻ｔｄより前のタイミングに相当する時刻ｔｃにおいてＬレベルに遷移し終わる。すなわち、このような電源監視回路３２の動作によれば、電源電圧ＶＰＡの供給状態に異常が発生したことを示すＬレベルの出力信号ＡＮ１を時刻ｔｃに出力することができる。【００４８】
ＡＮＤ回路３３は、電源電圧ＶＰＡの供給状態がＬレベルに遷移し終わった後において、出力信号ＡＮ２の信号レベルをＨレベルに維持できなくなる。そのため、出力信号ＡＮ２は、例えば、図３に示すように、Ｌレベルの出力信号ＡＮ１が入力される時刻ｔｃにおいてＨレベルからＬレベルへ遷移し始めるとともに、時刻ｔｄより後のタイミングに相当する時刻ｔｅにおいてＬレベルへ遷移し終わる。【００４９】
ＡＮＤ回路３４は、電源電圧ＶＰＡの供給状態がＬレベルに遷移し終わった後において、出力信号ＡＮ３の信号レベルをＨレベルに維持できなくなる。そのため、出力信号ＡＮ３は、例えば、図３に示すように、Ｌレベルの出力信号ＡＮ１が入力される時刻ｔｃにおいてＨレベルからＬレベルへ遷移し始めるとともに、時刻ｔｅにおいてＬレベルへ遷移し終わる。【００５０】
レギュレータ３５Ｂは、例えば、図３に示すように、Ｌレベルの出力信号ＡＮ２が入力される時刻ｔｅにおいて駆動電圧ＶＰＹをＨレベルからＬレベルへ遷移させるための動作を開始するとともに、時刻ｔｅより後のタイミングに相当する時刻ｔｆにおいて駆動電圧ＶＰＹをＨレベルからＬレベルへ遷移させるための動作を完了する。すなわち、図３に例示した動作によれば、レギュレータ３５Ｂは、時刻ｔｅにおいて駆動電圧ＶＰＹの生成を停止するための動作を開始するとともに、時刻ｔｆにおいて駆動電圧ＶＰＹの生成を停止するための動作を完了する。【００５１】
レギュレータ３５Ｃは、例えば、図３に示すように、Ｌレベルの出力信号ＡＮ３が入力される時刻ｔｅにおいて駆動電圧ＶＰＺをＨレベルからＬレベルへ遷移させるための動作を開始するとともに、時刻ｔｆにおいて駆動電圧ＶＰＺをＨレベルからＬレベルへ遷移させるための動作を完了する。すなわち、図３に例示した動作によれば、レギュレータ３５Ｃは、時刻ｔｅにおいて駆動電圧ＶＰＺの生成を停止するための動作を開始するとともに、時刻ｔｆにおいて駆動電圧ＶＰＺの生成を停止するための動作を完了する。【００５２】
ここで、例えば、出力信号ＳＱ１が直接レギュレータ３５Ａに入力され、出力信号ＳＱ２が直接レギュレータ３５Ｂに入力され、かつ、出力信号ＳＱ３が直接レギュレータ３５Ｃに入力されるような回路構成においては、図３の時刻ｔｘとして示すタイミング、すなわち、出力信号ＳＱ２の信号レベルがＬレベルに遷移し終わるタイミングよりも前に駆動電圧ＶＰＹの生成を停止させることができない。そのため、前述のような回路構成によれば、電源電圧ＶＰＡ、ＶＰＢ及びＶＰＣのうちの電源電圧ＶＰＡのみが内視鏡２へ供給されなくなった場合に、駆動電圧ＶＰＹの供給先の電子部品においてラッチアップ等の不具合が発生する可能性が高くなってしまう。【００５３】
これに対し、図３に例示した電源制御回路２１の動作によれば、電源電圧ＶＰＡの供給が停止した一方で電源電圧ＶＰＢ及びＶＰＣの供給が続けられているような、電源電圧の供給状態の異常が発生した際に、出力信号ＳＱ２の信号レベルがＬレベルに遷移し終わるよりも前のタイミングに相当する時刻ｔｆにおいて、駆動電圧ＶＰＹ及びＶＰＺの生成を同時に停止させることができる。そのため、図３に例示した電源制御回路２１の動作によれば、電源電圧ＶＰＡ、ＶＰＢ及びＶＰＣのうちの電源電圧ＶＰＡのみが内視鏡２へ供給されなくなるような異常が発生した際に、駆動電圧ＶＰＹ及びＶＰＺの供給先の各電子部品においてラッチアップ等の不具合が発生する可能性を極力低減することができる。【００５４】
ところで、本実施例によれば、電源電圧ＶＰＡ、ＶＰＢ及びＶＰＣのうちの電源電圧ＶＰＡのみが内視鏡２へ供給されなくなった場合に、図３のような動作が電源制御回路２１において行われるものに限らず、例えば、図４のような動作が電源制御回路２１において行われるようにしてもよい。このような動作の詳細について、以下に説明する。図４は、実施例に係る電源制御回路において、電源電圧の供給状態が本来意図しない状態になった場合に行われる動作の一例を説明するためのタイミングチャートである。なお、以降においては、簡単のため、既述の構成等に関する具体的な説明を適宜省略するものとする。【００５５】
シーケンサ３１は、例えば、図４に示すように、時刻ｔｂにおいて出力信号ＳＱ３をＨレベルからＬレベルへ遷移させるための動作を開始するとともに、時刻ｔｄにおいて出力信号ＳＱ３をＨレベルからＬレベルへ遷移させるための動作を完了する。【００５６】
レギュレータ３５Ａは、電源電圧ＶＰＡの供給状態がＨレベルからＬレベルへ遷移し終わった後において、駆動電圧ＶＰＸの電圧レベルをＨレベルに維持できなくなる。そのため、駆動電圧ＶＰＸは、例えば、図４に示すように、時刻ｔｂにおいてＨレベルからＬレベルへ遷移し始めるとともに、時刻ｔｄにおいてＬレベルに遷移し終わる。【００５７】
電源監視回路３２は、電源電圧ＶＰＡの供給状態がＨレベルからＬレベルへ遷移してゆくに伴い、Ｈレベルの電源電圧ＶＰＢ及びＶＰＣの入力に係わらず、出力信号ＡＮ１の信号レベルをＨレベルに維持できなくなる。そのため、出力信号ＡＮ１は、例えば、図４に示すように、時刻ｔａにおいてＨレベルからＬレベルへ遷移し始めるとともに、時刻ｔｃにおいてＬレベルに遷移し終わる。【００５８】
ＡＮＤ回路３３は、電源電圧ＶＰＡの供給状態がＨレベルからＬレベルへ遷移してゆくに伴い、（Ｈレベルの出力信号ＳＱ２及びＡＮ１の入力に係わらず、）出力信号ＡＮ２の信号レベルをＨレベルに維持できなくなる。そのため、出力信号ＡＮ２は、例えば、図４に示すように、時刻ｔａにおいてＨレベルからＬレベルへ遷移し始めるとともに、時刻ｔｃにおいてＬレベルに遷移し終わる。【００５９】
ＡＮＤ回路３４は、電源電圧ＶＰＡの供給状態がＨレベルからＬレベルへ遷移してゆくに伴い、（Ｈレベルの出力信号ＳＱ３及びＡＮ１の入力に係わらず、）出力信号ＡＮ３の信号レベルをＨレベルに維持できなくなる。そのため、出力信号ＡＮ３は、例えば、図４に示すように、時刻ｔａにおいてＨレベルからＬレベルへ遷移し始めるとともに、時刻ｔｃにおいてＬレベルに遷移し終わる。【００６０】
レギュレータ３５Ｂは、例えば、図４に示すように、Ｌレベルの出力信号ＡＮ２が入力される時刻ｔｃにおいて駆動電圧ＶＰＹをＨレベルからＬレベルへ遷移させるための動作を開始するとともに、時刻ｔｅにおいて駆動電圧ＶＰＹをＨレベルからＬレベルへ遷移させるための動作を完了する。すなわち、図４に例示した動作によれば、レギュレータ３５Ｂは、時刻ｔｃにおいて駆動電圧ＶＰＹの生成を停止するための動作を開始するとともに、時刻ｔｅにおいて駆動電圧ＶＰＹの生成を停止するための動作を完了する。【００６１】
レギュレータ３５Ｃは、例えば、図４に示すように、Ｌレベルの出力信号ＡＮ３が入力される時刻ｔｃにおいて駆動電圧ＶＰＺをＨレベルからＬレベルへ遷移させるための動作を開始するとともに、時刻ｔｅにおいて駆動電圧ＶＰＺをＨレベルからＬレベルへ遷移させるための動作を完了する。すなわち、図４に例示した動作によれば、レギュレータ３５Ｃは、時刻ｔｃにおいて駆動電圧ＶＰＺの生成を停止するための動作を開始するとともに、時刻ｔｅにおいて駆動電圧ＶＰＺの生成を停止するための動作を完了する。【００６２】
以上に述べたように、図４に例示した電源制御回路２１の動作によれば、電源電圧ＶＰＡの供給が停止した一方で電源電圧ＶＰＢ及びＶＰＣの供給が続けられているような、電源電圧の供給状態の異常が発生した際に、出力信号ＳＱ２の信号レベルがＬレベルに遷移し終わるよりも前のタイミングに相当する時刻ｔｅにおいて、駆動電圧ＶＰＹ及びＶＰＺの生成を同時に停止させることができる。そのため、図４に例示した電源制御回路２１の動作によれば、電源電圧ＶＰＡ、ＶＰＢ及びＶＰＣのうちの電源電圧ＶＰＡのみが内視鏡２へ供給されなくなるような異常が発生した際に、駆動電圧ＶＰＹ及びＶＰＺの供給先の各電子部品においてラッチアップ等の不具合が発生する可能性を極力低減することができる。【００６３】
次に、電源電圧ＶＰＡ、ＶＰＢ及びＶＰＣのうちの電源電圧ＶＰＢのみが内視鏡２へ供給されなくなった場合における電源制御回路２１の動作の詳細について、図５を適宜参照しつつ説明する。図５は、実施例に係る電源制御回路において、電源電圧の供給状態が本来意図しない状態になった場合に行われる動作の一例を説明するためのタイミングチャートである。【００６４】
シーケンサ３１は、例えば、図５に示すように、電源電圧ＶＰＢの供給状態がＬレベルに遷移し終わったタイミングに相当する時刻ｔｈにおいて、出力信号ＳＱ３をＨレベルからＬレベルへ遷移させるための動作を開始するとともに、時刻ｔｈより後のタイミングに相当する時刻ｔｍにおいて、出力信号ＳＱ３をＨレベルからＬレベルへ遷移させるための動作を完了する。【００６５】
レギュレータ３５Ｂは、電源電圧ＶＰＢの供給状態がＨレベルからＬレベルへ遷移し終わった後において、駆動電圧ＶＰＹの電圧レベルをＨレベルに維持できなくなる。そのため、駆動電圧ＶＰＹは、例えば、図５に示すように、時刻ｔｈにおいてＨレベルからＬレベルへ遷移し始めるとともに、時刻ｔｍにおいてＬレベルに遷移し終わる。【００６６】
ここで、電源監視回路３２は、電源電圧ＶＰＢの供給状態がＨレベルからＬレベルへ遷移してゆくに伴い、出力信号ＡＮ１の信号レベルをＨレベルに維持できなくなる。そのため、出力信号ＡＮ１は、例えば、図５に示すように、電源電圧ＶＰＡの供給状態がＨレベルからＬレベルへ遷移している最中の時刻ｔｈより前のタイミングに相当する時刻ｔｇにおいてＨレベルからＬレベルへ遷移し始めるとともに、時刻ｔｈより後であるとともに時刻ｔｍより前のタイミングに相当する時刻ｔｋにおいてＬレベルに遷移し終わる。すなわち、このような電源監視回路３２の動作によれば、電源電圧ＶＰＢの供給状態に異常が発生したことを示すＬレベルの出力信号ＡＮ１を時刻ｔｋに出力することができる。【００６７】
ＡＮＤ回路３３は、例えば、図５に示すように、Ｌレベルの出力信号ＡＮ１が入力される時刻ｔｋにおいて出力信号ＡＮ２の信号レベルをＨレベルからＬレベルへ遷移させるための動作を開始するとともに、時刻ｔｍより後のタイミングに相当する時刻ｔｎにおいて出力信号ＡＮ２の信号レベルをＨレベルからＬレベルへ遷移させるための動作を完了する。【００６８】
ＡＮＤ回路３４は、例えば、図５に示すように、Ｌレベルの出力信号ＡＮ１が入力される時刻ｔｋにおいて出力信号ＡＮ２の信号レベルをＨレベルからＬレベルへ遷移させるための動作を開始するとともに、時刻ｔｎにおいて出力信号ＡＮ２の信号レベルをＨレベルからＬレベルへ遷移させるための動作を完了する。【００６９】
レギュレータ３５Ｃは、例えば、図５に示すように、Ｌレベルの出力信号ＡＮ３が入力される時刻ｔｎにおいて駆動電圧ＶＰＺをＨレベルからＬレベルへ遷移させるための動作を開始するとともに、時刻ｔｎより後であるとともに出力信号ＳＱ２の信号レベルがＬレベルに遷移し終わる前のタイミングに相当する時刻ｔｐにおいて駆動電圧ＶＰＺをＨレベルからＬレベルへ遷移させるための動作を完了する。すなわち、図５に例示した動作によれば、レギュレータ３５Ｃは、時刻ｔｎにおいて駆動電圧ＶＰＺの生成を停止するための動作を開始するとともに、時刻ｔｐにおいて駆動電圧ＶＰＺの生成を停止するための動作を完了する。【００７０】
レギュレータ３５Ａは、例えば、図５に示すように、時刻ｔｐよりも後であるとともに出力信号ＳＱ１の信号レベルがＬレベルに遷移し終わったタイミングに相当する時刻ｔｑにおいて駆動電圧ＶＰＸをＨレベルからＬレベルへ遷移させるための動作を開始するとともに、時刻ｔｑより後のタイミングに相当する時刻ｔｒにおいて駆動電圧ＶＰＸをＨレベルからＬレベルへ遷移させるための動作を完了する。【００７１】
以上に述べたように、図５に例示した電源制御回路２１の動作によれば、電源電圧ＶＰＢの供給が停止した一方で電源電圧ＶＰＡ及びＶＰＣの供給が続けられているような、電源電圧の供給状態の異常が発生した際に、時刻ｔｐにおいてＶＰＺの生成を停止させることができる。そのため、図５に例示した電源制御回路２１の動作によれば、電源電圧ＶＰＡ、ＶＰＢ及びＶＰＣのうちの電源電圧ＶＰＢのみが内視鏡２へ供給されなくなるような異常が発生した際に、駆動電圧ＶＰＺの供給先の電子部品においてラッチアップ等の不具合が発生する可能性を極力低減することができる。【００７２】
なお、本実施例によれば、例えば、電源電圧ＶＰＡ〜ＶＰＣ及び駆動電圧ＶＰＸ〜ＶＰＺの供給経路上における時定数の大きさの順番が、駆動電圧ＶＰＸ、ＶＰＹ及びＶＰＺの生成が停止される優先順位とは逆の順番に設定されるように電源制御回路２１を構成してもよい。具体的には、本実施例によれば、例えば、駆動電圧ＶＰＺ→ＶＰＹ→ＶＰＸの順に予め設定された優先順位に従って各駆動電圧の生成を停止する場合において、電源電圧ＶＰＡ及び駆動電圧ＶＰＸの供給経路上の時定数τｘと、電源電圧ＶＰＢ及び駆動電圧ＶＰＹの供給経路上の時定数τｙと、電源電圧ＶＰＣ及び駆動電圧ＶＰＺの供給経路上の時定数τｚと、の間において、τｘ＞τｙ＞τｚの関係が成り立つように分圧用の抵抗及びバイパスコンデンサ等を配置して電源制御回路２１を構成してもよい。そして、このような構成によれば、例えば、駆動電圧ＶＰＸ、ＶＰＹ及びＶＰＺの生成を停止する際に、駆動電圧ＶＰＺがＬレベルに遷移し終わるまでに要する時間を相対的に短くすることができるとともに、駆動電圧ＶＰＸがＬレベルに遷移し終わるまでに要する時間を相対的に長くすることができる。【００７３】
本発明は、上述した実施例に限定されるものではなく、発明の趣旨を逸脱しない範囲内において種々の変更や応用が可能であることは勿論である。【００７４】
本出願は、２０１５年７月６日に日本国に出願された特願２０１５−１３５４７５号を優先権主張の基礎として出願するものであり、上記の開示内容は、本願明細書、請求の範囲、図面に引用されたものとする。
【要約】
電源制御回路は、複数の駆動電圧のうちの少なくとも１つにより駆動する複数の電子部品を有する所定の装置に設けられ、所定の装置の外部から供給される複数の電源電圧を用いて複数の駆動電圧を生成する駆動電圧生成回路と、複数の電源電圧の供給が所定の順番で停止された際に、複数の駆動電圧の生成を予め設定された優先順位に従って停止させるシーケンサと、複数の電源電圧のうちの１つの電源電圧の供給が所定の順番とは異なる順番で停止した一方で他の電源電圧の供給が続けられている際に、１つの電源電圧を用いた駆動電圧の生成を停止する優先順位よりも高い優先順位に設定された各駆動電圧の生成を同時に停止させるための動作を行う電源監視回路と、を有する。【図１】
0006013673.tif 000002
【図２】
0006013673.tif 000003
【図３】
0006013673.tif 000004
【図４】
0006013673.tif 000005
【図５】
0006013673.tif 000006